(57)【要約】【課題】  本発明は一種のイジェクト機構のカムレバー自由端の運動に制限されて、かつ機構が簡単な記憶カードコネクタを提供することを目的とする。【解決手段】  本発明の記憶カードコネクタは電気的に接続するための記憶カードであって、シールドハウジングと、絶縁本体と、絶縁本体に設置された導電端子及びイジェクト機構とを含み、前記絶縁本体が側壁を設けて、イジェクト機構が絶縁本体の側壁に配設されて、スライドブロックと、スライドブロックに弾性保持された弾性体と、スライドウエー及びカムレバーとを備え、前記カムレバーの一端が固定され、他端がスライドウエーを移動し、シールドハウジングが絶縁本体とイジェクト機構の周囲に配設され、前記シールドハウジングがカムレバーの脱落を防止する前記イジェクト機構のシールド部に設置された。【選択図】  図１
2004342577.tif 000002
【特許請求の範囲】
【請求項１】
一種の記憶カードコネクタにおいて、電気的に接続するための記憶カードであって、
絶縁本体に設置された導電端子と、
スライドブロックと、スライドブロックに弾性保持された弾性体と、スライドブロック上に設置されたスライドウエー及びカムレバーとを備え、前記カムレバーの一端が固定され、他端がスライドウエーを移動して、絶縁本体の一側壁に設置されたイジェクト機構と、          
絶縁本体とイジェクト機構の周囲に配設されたシールドハウジングとを含み、前記シールドハウジングがカムレバーの脱落を防止する前記イジェクト機構のシールド部に設置されたことを特徴とする記憶カードコネクタ。
【請求項２】
前記シールド部がシールドハウジングの側面から内へV字状に曲げ延ばすことで形成されていることを特徴とする請求項１に記載の記憶カードコネクタ。
【請求項３】
前記イジェクト機構のカムレバーが主本体部を含み、前記シールド部が前記主本体部の外側面に弾性接触していることを特徴とする請求項１に記載の記憶カードコネクタ。
【請求項４】
絶縁本体の側壁の中部が前記カムレバー主本体部を載置するために弾性接触面に設けられることを特徴とする請求項３に記載の記憶カードコネクタ。
【請求項５】
前記カムレバー主本体部の前端が前記スライドウエーと結合した挿入端部に設けられることを特徴とする請求項４に記載の記憶カードコネクタ。
【請求項６】
前記イジェクト機構のカムレバーの後端が固持端部に設けた、絶縁本体の側壁が複数のタブに設けた、前記固持端部がタブの底表面に立て掛けることを特徴とする請求項４に記載の記憶カードコネクタ。
【請求項７】
前記シールドハウジングの上側面が複数の係止孔に設けた、前記係止孔が絶縁本体側壁の複数のタブに結合して固持した、前記シールドハウジングの主本体部と固持端部が絶縁本体側壁とシールドハウジング側面の間に挟持されていることを特徴とする請求項４に記載の記憶カードコネクタ。
【請求項８】
前記記憶カードコネクタが絶縁本体に設置されたコンタクト端子と、前記コンタクト端子が電気回路板と溶接して固持したはんだ付け部とを含むことを特徴とする請求項１〜７の何れか１項に記載の記憶カードコネクタ。
【請求項９】
一種の記憶カードコネクタにおいて、電気的に接続するための記憶カードであって、
底部がスライディングチャネルに設けた絶縁本体と、
絶縁本体の底部に設置された導電端子と、
スライドブロックと、スライドブロックに弾性保持された弾性体と、スライドブロック上に設置されたスライドウエー及びカムレバーとを備え、前記カムレバーの一端が固定され、他端がスライドウエーを移動して、絶縁本体の一側壁に設置されたイジェクト機構と、
絶縁本体とイジェクト機構の周囲に配設されたシールドハウジングとを含み、前記シールドハウジングにカムレバーの脱落を防止する前記イジェクト機構のシールド部を設置されたことを特徴とする記憶カードコネクタ。                          
【請求項１０】
前記シールド部が側面から内へV字状に曲げ延ばすことで形成されていることを特徴とする請求項９に記載の記憶カードコネクタ。
【請求項１１】
前記イジェクト機構のカムレバーが主本体部を含み、前記シールド部が前記主本体部の外側面に弾性接触していることを特徴とする請求項９に記載の記憶カードコネクタ。
【請求項１２】
前記カムレバー主本体部の前端が前記スライドウエーと結合した挿入端部に設けることを特徴とする請求項１１に記載の記憶カードコネクタ。
【請求項１３】
前記シールドハウジングが係止孔に設けた、絶縁本体に前記絶縁本体と結合した複数のタブを設置されたことを特徴とする請求項１２に記載の記憶カードコネクタ。
【請求項１４】
前記記憶カードコネクタがまた絶縁本体に設置されたコンタクト端子と、前記コンタクト端子が電気回路板と溶接して固持したはんだ付け部とを含むことを特徴とする請求項９〜１３の何れか１項に記載の記憶カードコネクタ。
【請求項１５】
一種な記憶カードコネクタにおいて、電気的に接続するための記憶カードであって、
側壁に設け、かつ前記側壁が弾性接触面に設けた絶縁本体と、
絶縁本体に設置された導電端子と、
スライドブロックと、スライドブロックに弾性保持された弾性体及びカムレバーとを備え、前記カムレバーが絶縁本体の弾性接触面に弾性接触され、絶縁本体の一側壁に設置されたイジェクト機構と、
絶縁本体とイジェクト機構の周囲に配設されたシールドハウジングとを含み、前記シールドハウジングがカムレバーの脱落を防止する前記イジェクト機構のシールド部に設けたことを特徴とする記憶カードコネクタ。
【請求項１６】
前記イジェクト機構のカムレバーが主本体部を含み、前記シールド部が前記主本体部の外側面に弾性接触していることを特徴とする請求項１５に記載の記憶カードコネクタ。
【請求項１７】
前記イジェクト機構のスライドブロックがスライドウエーに設け、前記カムレバー主本体部の前端が前記スライドウエーと結合した挿入端部に設けることを特徴とする請求項１１に記載の記憶カードコネクタ。
【請求項１８】
前記イジェクト機構のカムレバーの後端が固持端部に設け、絶縁本体の側壁が複数のタブに設け、前記固持端部がタブの底表面に立て掛けることを特徴とする請求項１７に記載の記憶カードコネクタ。
【請求項１９】
前記シールドハウジングの上側面が複数の係止孔に設けた、前記係止孔が絶縁本体側壁の複数のタブに結合して固持し、前記シールドハウジングの大分部が絶縁本体側壁とシールドハウジング側面の間に挟持されていることを特徴とする請求項１８に記載の記憶カードコネクタ。
【請求項２０】
前記記憶カードコネクタが絶縁本体に設置されたコンタクト端子と、前記コンタクト端子が電気回路板と溶接して固持したはんだ付け部とを含むことを特徴とする請求項１５〜１９の何れか１項に記載の記憶カードコネクタ。
【発明の詳細な説明】
【技術分野】
【０００１】
本発明は、一種の記憶カードコネクタに関し、特に一種の記憶カードが電子設備に接続されかつイジェクト機構に設けた記憶カードコネクタに関するものである。
【背景技術】
【０００２】
通信及びディジタル化電子技術が進歩していき、関連の機器の機能と記憶しようとする資料の容量に対する要求はますます高くなり、その問題を有効に解決するために、たくさんの部品が挿し接されて使う記憶カード装置を漸次増設した。しかし挿し接する記憶カードのサイズがとても小さいため、ユーザーが記憶カードを直接持って挿入する又は抜き出す際に、常に不当に力を出し又は方法を間違うため、記憶カードが正確に定位されず、さらに記憶カードが取り出しにくくなっていた。
【０００３】
業界では一般記憶カードコネクタにイジェクト機構を装着する方法を採用して前記問題を解決し、かつ現在常に使うSDカード（Secure Digital Card）、メモリースティック（Memory Stick）などの小型の記憶カードに対して、通常カムレバーと心臓の形のカム機構に結合したイジェクト機構を採用した。例えば、台湾特許第４６５８４２号公報はイジェクト機構を提示する。前記カムレバーの一端が固定され、自由端が心臓の形のカム機構を移動する際に、脱離しやすいため、正常なイジェクトの機能が達成されなかった。
【０００４】
このような問題を解決すべく特許文献２は記憶カードコネクタを提示する。前記記憶カードコネクタが単独に設置されたシャッター部によって、カムレバーの自由端の脱離を防止し、前記記憶カードコネクタにおいて、絶縁本体と、イジェクト機構及びシールドハウジングとを含み、前記イジェクト機構はスライドブロックと、弾性ロック片及びカムレバーとを備え、まずイジェクト機構が絶縁本体に装着し、再び前記シャッター部がイジェクト機構のカムレバーの外側に設置され、はんだ付け部によってメイン回路板と固定され、最後にシールドハウジングが絶縁本体の外部を包む。しかし、前記記憶カードコネクタの部品が多過ぎ、機構が複雑で、コストダウンに不利になり、かつ前記シャッター部を装着しかつはんだ付けするプロセスが増え、生産効率を高めるのに不利になった。
【特許文献１】台湾特許第４６５８４２号公報
【特許文献２】日本国特開２００２−２７０２８７号公報
【発明の開示】
【発明が解決しようとする課題】
【０００５】
本発明は一種のイジェクト機構のカムレバー自由端の運動に制限されて、かつ機構が簡単な記憶カードコネクタを提供することを目的とする。
【課題を解決するための手段】
【０００６】
前記の目的を達成するために、本発明の記憶カードコネクタは電気的に接続するための記憶カードであって、シールドハウジングと、絶縁本体と、絶縁本体に設置された導電端子及びイジェクト機構とを含み、前記絶縁本体が側壁を設けて、イジェクト機構が絶縁本体の側壁に配設されて、スライドブロックと、スライドブロックに弾性保持された弾性体と、スライドウエー及びカムレバーとを備え、前記カムレバーの一端が固定され、他端がスライドウエーを移動し、シールドハウジングが絶縁本体とイジェクト機構の周囲に配設され、前記シールドハウジングがカムレバーの脱落を防止する前記イジェクト機構のシールド部に設置された。
【発明の効果】
【０００７】
従来の技術に比較して、本発明の記憶カードコネクタのシールド部はシールドハウジングに一体的に設置され、機構が簡単かつコンバクトになり、かつ更にイジェクト機構のカムレバーの滑落の発生を有効的に防止し、記憶カードコネクタの扱いが一層信頼性を有するものとされた。
【発明を実施するための最良の形態】
【０００８】
図１〜図３を参照し、本発明の記憶カードコネクタ１００において、絶縁本体１と、絶縁本体１に装着された複数の導電端子２と、一対の監視端子３と、一対のリードオンリ端子４と、コンタクト端子５と、イジェクト機構６及びシールドハウジング７とを含む。前記監視端子３、前記リードオンリ端子４、前記コンタクト端子５が絶縁本体にそれぞれ設置され、シールドハウジング７が絶縁本体１の外部を包む。
【０００９】
絶縁本体１は底部１０、第一側壁１１と、第二側壁１２及び第一側壁１１と第二側壁１２に接続された後壁１３とを含む。前記導電端子２が底部１０に一体的に保持されて設置され、接触部（符号なし）が前記底部１０の上表面に少し突出し、底部１０が第二側壁に近付く方にイジェクト機構６のスライドに結合するスライディングチャネル１０１を設ける。第一側壁１１が複数のリードオンリ端子４を装着する収容スロット（符号なし）及び複数のシールドハウジング１に結合して固持される第一タブ（未図示）に設け、前記第二側壁１２の外側がシールドハウジング７に結合して固持する複数の第二タブ１２１に設け、かつ前記第二側壁１２の中部が弾性接触面１２２に設ける。その他、絶縁本体１の後壁１３が複数のリードオンリ端子４を装着する収容スロット（符号なし）及び第二側壁に近付いて内へ延出する延出柱（未図示）に設ける。
【００１０】
監視端子３が互いに結合した第一監視端子３１と第二監視端子３２とを含み、記憶カードが完全に挿入するかどうか監視する。これらは当業者の承知した従来の技術であって、ここでは詳細に述べない。
【００１１】
リードオンリ端子４が互いに結合した第一リードオンリ端子４１と第二リードオンリ端子４２とを含む。
【００１２】
コンタクト端子５が絶縁本体１の底部１０の前端両側に設置され、それぞれ第一側壁１１と第二側壁に一体的に保持して設置され、かつそれぞれ絶縁本体１の底部１０を伸び出し、主電気回路板（未図示）にはんだ付けして固持するはんだ付け部５１に設ける。
【００１３】
イジェクト機構６が主要に略L字状のスライドブロック６１と、前記スライドブロック６１に弾性接触した弾性体６２（本実施の方式ではバネである）及び弾性体６２に結合してスライドブロック６１を制御してカードを挿した後に定位するカムレバー６３とを含む。前記スライドブロック６１が前記スライドブロック６１の後端に設けて、前記弾性体６２を収容するのに用いる係止グルーブ６１１と、及び前記スライドブロック６１の前端に設け、複数の互いに連通したスライドウエー６１２とを含み、本実施の方式のスライドウエー６１２が心臓の形の機構である。カムレバー６３が主本体部６３１に設け、前記主本体部６３１の前端が内へ曲げ折り、スライドブロック６１とスライドウエー６１２に結合する挿入端部６３２と、後端が垂直方向へZ字状に曲げ折れた後に固持端部６３３に設ける。
【００１４】
イジェクトハウジング７が天井面７１及び前記天井面７１の両側が下へ曲げ伸びた複数の側面７２とを含み、前記側面７２が複数の絶縁本体１の第一側面１１、第二側面１２の第一タブ、第二タブ１２１に結合した係止孔７２１を設ける。前記係止孔７２１がまた前記側面７２から内へ曲げ折れてほとんどV字状をするシールド部７２２を含む。前記シールド部７２２が側面７２に設けられ、かつ記憶カードコネクタ１００、イジェクト機構６、カムレバー６３、主本体部６３１を装着した後に外側に設ける。前記側面７２は長方形やシート状などの機構である。
【００１５】
図２及び図３を示し、装着する際に、導電端子２とコンタクト端子５及び絶縁本体１の底部１０が結合して固持され、監視端子３の第一監視端子３１及び第二監視端子３２がそれぞれ絶縁本体１の後壁１３に対した収容スロットに装着され、リードオンリ端子４の第一リードオンリ端子４１及び第二リードオンリ端子４２がそれぞれ絶縁本体１の第一側壁１１に対した収容スロットに装着され、同時に、イジェクト機構６のスライドブロック６１が絶縁本体１の底部１０のスライディングチャネルに装着され、弾性体６２の一端がスライドブロック６１の係止グルーブ６１１に設置され、他端が絶縁本体１の後壁１３の延出柱に結合して固持し、カムレバー６３の主本体部６３１が絶縁本体１の第二側壁１２の弾性接触面１２２に当接し、挿入端部６３２がスライドブロック６１のスライドウエー６１２に挿入し、固持端部６３３が絶縁本体１の第二側壁１２の第二タブ１２１の底表面に弾性接触し、シールドハウジング７が絶縁本体１に装着され、側面７２の複数の係止孔７２１が第一側壁１１と第二側壁１２の複数のタブ１２１に結合して扣持し、絶縁本体１とシールドハウジング７が一体に固持させ、シールドハウジング７の側面７２がカムレバー６３の主本体部６３１と固持端部６３３を絶縁本体１の第二側壁１２に固定され、それとともに、シールドハウジング７の側面７２のシールド部７２２がカムレバー６３の主本体部６３１の外側面に設置し、カムレバー６３の挿入端部６３２がスライドブロック６１のスライディングチャネル６１２から滑り落ちることを防止する。絶縁本体１とシールドハウジング７が記憶カードを収容するのに用いる収容空間（符号なし）に形成され、最後前記組み立てられた記憶カードコネクタ１００が主電気回路板に装着され、各端子（２、３、４）のはんだ付け端（符号なし）と主電気回路板がはんだ付けして導電し、コンタクト端子５のはんだ付け部５１が主電気回路板にはんだ付けして固持した。
【００１６】
使う際に、記憶カード（未図示）が収容空間から記憶カードコネクタ１００に挿入し、イジェクト機構６が押されて一緒に移動する。記憶カードが記憶カードコネクタ１００を退出する際に、イジェクト機構６スライドブロック６１が弾性体６２の弾力を作用して復帰し、イジェクト機構６のカムレバー６３の挿入端部６３２がスライドブロック６１のスライドウエー６１２を移動し、記憶カードを挿入する又は退出させる際に、更に退出する際に激しく振動するため、イジェクト機構６のカムレバー６３の挿入端部６３２を弾み出させ、シールドハウジング７側面７２のシールド部７２２がイジェクト機構６のカムレバー６３の主本体部６３１の外側面に立て掛け、前記の場合を防止され、したがって、記憶カードコネクタ１００が信頼度を上げ、使う時間が延長される。
【００１７】
なるほど、本発明の第一、第二タブ１２１がまた絶縁本体１の底部１０両側に設けられ、イジェクト機構６のカムレバー６３の固持端部６３３が絶縁本体１の底部１０に直接に固持する。
【００１８】
総じて、本発明の多数の特徴及び長所など、その構造及び機能が共に前述の記載により掲げられている。また前記の説明は、本発明に基づきなしうる細部の修正或は変更など、いずれも本発明の請求範囲に属するものとする。
【産業上の利用可能性】
【００１９】
本発明は、一種の記憶カードコネクタに関し、特に一種の記憶カードが電子設備に接続されかつイジェクト機構に設けた記憶カードコネクタに関するものである。
【図面の簡単な説明】
【００２０】
【図１】本発明における本発明の記憶カードコネクタの結合斜視図である。
【図２】本発明における本発明の図１の分解斜視図である。
【図３】本発明における本発明の図２の局部分解図である。
【符号の説明】
【００２１】
１  絶縁本体
２  導電端子
３  監視端子
４  リードオンリ端子
５  コンタクト端子
６  イジェクト機構
７  シールドハウジング
１０  底部
１１  第一側壁
１２  第二側壁
１３  後壁
３１  第一監視端子
３２  第二監視端子
４１  第一リードオンリ端子
４２  第二リードオンリ端子
５１  はんだ付け部
６１  スライドブロック
６２  弾性体
６３  カムレバー
７１  天井面
７２  側面
１００  記憶カードコネクタ
１０１  スライディングチャネル
１２１  第二タブ
１２２  弾性接触面
６１１  係止グルーブ
６１２  スライドウエー
６３１  主本体部
６３２  挿入端部
６３３  固持端部
７２１  係止孔
７２２  シールド部
【図１】
2004342577.tif 000003
【図２】
2004342577.tif 000004
【図３】
2004342577.tif 000005